(57)【要約】【課題】  当たったときの衝撃が少なく、人に怪我をさせたり、物を破損するおそれがなく常に球形を維持できる球形構造体を提供する。【解決手段】  外方に突出した突出部材を有する連結部が円周に沿って等間隔に配置されている複数個の環状体と、両端がそれぞれ各環状体の連結部の突出部材と嵌合する複数個の連結体とを連結して球体としてなる。【選択図】        図１
2005073962.tif 000002
【特許請求の範囲】
【請求項１】
外方に突出した突出部材を有する複数個の連結部が円周に沿って等間隔に配置されている複数個の環状体と、両端がそれぞれ各環状体の連結部の突出部材と嵌合する複数個の連結体とを具備し、これら環状体と連結体とを連結して球体としてなることを特徴とする球形構造体。
【請求項２】
外方に突出した突出部材を有する複数個の連結部が円周に沿って等間隔に配置されている複数個の環状体と、両端がそれぞれ各環状体の連結部の突出部材と嵌合する複数個の連結体とを具備し、これら環状体と連結体とを連結して球体としてなることを特徴とするボール。
【請求項３】
外方に突出した突出部材を有する複数個の連結部が円周に沿って等間隔に配置されている複数個の環状体と、両端がそれぞれ各環状体の連結部の突出部材と嵌合する複数個の連結体とを具備し、これら環状体と連結体とを連結して球体としてなることを特徴とする洗濯物干し具。
【請求項４】
外方に突出した突出部材を有する複数個の連結部が円周に沿って等間隔に配置されている複数個の環状体と、両端がそれぞれ各環状体の連結部の突出部材と嵌合する複数個の連結体とを連結してほぼ球体状になされ、環状体が配置されるべき１箇所だけ環状体が配置されず入口となされ、この入口に向かう各連結体の入口側の端部にその長手方向と交叉する方向に貫通孔が設けられ、この貫通孔に紐が通されて、紐を絞っていくことにより入口を塞ぎ、中に入れられたボールが外に出ないようになされているボール入れ。
【請求項５】
外方に突出した第一の突出部材及び（又は）第一の突出部材とこれと交叉する方向に突出している第二の突出部材とを有する複数個の連結部が円周に沿って等間隔に配置されている複数個の環状体と、両端がそれぞれ各環状体の連結部の第一の突出部材と嵌合する連結体とを、第二の突出部材が球体の内側を向くようにして連結してほぼ球体状になされ、環状体が配置されるべき１箇所だけ環状体が配置されず入口となされ、この入口に向かう各連結体の入口側の端部にその長手方向と交叉する方向に貫通孔が設けられ、この貫通孔に紐が通されて、紐を絞っていくことにより、入口を塞ぎ中に入れられたブイが外に出ないようになされているブイ用保護体。
【発明の詳細な説明】
【技術分野】
【０００１】
常に球形を維持している球形構造体及びこれを用いたボール、洗濯物干し具、ボール入れ及びブイ用保護体に関する。
【背景技術】
【０００２】
幼稚園の園児等の小さな子供が使用する比較的大型（例えば直径が１８０ｍｍ程度）のボールとしては、従来はゴムや合成樹脂製で中に空気を入れて膨らませてなるものが使用されている。
【発明の開示】
【発明が解決しようとする課題】
【０００３】
しかしながら、子供が使用する、中に空気を入れて膨らませてなるゴムや合成樹脂製の大型のボールは当たるとかなり衝撃があり、当たり所が悪ければ怪我をしたりすることがあり、殊に年少の子供の頭に当ったりするのは好ましくない。また当たった物を破損するおそれもあるので室内等の狭い空間でのボール遊びはさせにくく、雨の日などの幼稚園等の室内での園児のボールを使った運動にはネットを張るなどの必要があった。
さらに、子供が誤ってボールに乗ってしまうと子供が転倒する危険がある。また空気を入れて膨らませているため、小さな穴があいても、空気が漏れ球形を維持できず、修理も難しい。
【０００４】
本発明は、当たったときの衝撃が少なく、人に怪我をさせたり、物を破損するおそれがない、常に球形を維持できる球形構造体を提供すると共に、この球形構造体を用いたボール、洗濯物干し具、ボール入れ及び漁業に使用されるブイ用保護体を提供することを目的としている。
【課題を解決するための手段】
【０００５】
本発明の球形構造体は、外方に突出した突出部材を有する複数個の連結部が円周に沿って等間隔に配置されている複数個の環状体と、両端がそれぞれ各環状体の各連結部の突出部材と嵌合する複数個の連結体とを具備し、これら環状体及び連結体を連結して球体としてなる。
【０００６】
本発明のボールは、外方に突出した突出部材を有する複数個の連結部が円周に沿って等間隔に配置されている複数個の環状体と、両端がそれぞれ各環状体の連結部の突出部材と嵌合する複数個の連結体とを具備し、これら環状体と連結体とを連結して球体としてなる。
【０００７】
本発明の洗濯物干し具は、外方に突出した突出部材を有する複数個の連結部が円周に沿って等間隔に配置されている複数個の環状体と、両端がそれぞれ各環状体の連結部の突出部材と嵌合する複数個の連結体とを具備し、これら環状体と連結体とを連結して球体としてなる。
【０００８】
本発明のボール入れは、外方に突出した突出部材を有する複数個の連結部が円周に沿って等間隔に配置されている複数個の環状体と、両端がそれぞれ各環状体の連結部の突出部材と嵌合する複数個の連結体とを連結してほぼ球体状になされ、環状体が配置されるべき１箇所だけ環状体が配置されず入口となされ、この入口に向かう各連結体の入口側の端部にその長手方向と交叉する方向に貫通孔が設けられ、この貫通孔に紐が通されて、紐を絞っていくことにより入口を塞ぎ、中に入れられたボールが外に出ないようになされている。
【０００９】
本発明のブイ用保護体は、外方に突出した第一の突出部材及び（又は）第一の突出部材とこれと交叉する方向に突出している第二の突出部材とを有する複数個の連結部が円周に沿って等間隔に配置されている複数個の環状体と、両端がそれぞれ各環状体の連結部の第一の突出部材と嵌合する連結体とを、第二の突出部材が球体の内側を向くようにして連結してほぼ球体状になされ、環状体が配置されるべき１箇所だけ環状体が配置されず入口となされ、この入口に向かう各連結体の入口側の端部にその長手方向と交叉する方向に貫通孔が設けられ、この貫通孔に紐が通されて、紐を絞っていくことにより入口を塞ぎ、中に入れられたブイが外に出ないようになされている。
【発明の効果】
【００１０】
本発明の球形構造体では、構造が簡単で軽くて丈夫で、しかも、それを構成する部品の種類が少なく、組み立てが容易である。また必要に応じて分解したり、潰した状態にすることもできる。
【００１１】
本発明のボールでは、軽量でぶつけても衝撃が少なく怪我をさせたり物を破損するおそれがない。またボールに乗ってしまってもつぶれるだけで、子供が転倒するようなことがない。また子供が片手でボールをつかみ投げることができるので、幼児でも大きなボールで遊ぶことができる。さらに環状体部分は平らなのでそれほど転がらず、しかも上述のように物にぶつかっても破損させるおそれがないので室内での使用も可能である。また空気を入れて膨らませているのではないため、空気が抜けて球形を維持できなくなったりすることがなく、また一部が破損してもその部分の部品だけを取り替えればよい。
【００１２】
また本発明のボールは、幼稚園児や小学生に限らず、中学生のような大きな子供でも、サッカーのリフティングやヘディングの練習をしたりするのに利用できる。また老人ホーム等での老人の運動にも使用できる。
【００１３】
本発明の洗濯物干し具では、球形形状をしているので、シャツ等の洗濯物をかぶせた場合、生地と生地との間が離れた状態に維持され、しかも中は空洞なので空気の流通が良く乾燥が速い。また本洗濯物干し具を合成樹脂等で作れば軽量で耐久性があり、洗濯物干し具が汚れても容易に水洗いができる。さらに洗濯物干し具は、不使用時は分解しておいたり、両手で潰した状態で箱や袋等に入れ、使用時に組み立てたり、箱や袋から出せば元の球体に復帰する。
【００１４】
本発明のボール入れでは、球形形状を維持しているのでボールの出し入れがしやすい。またある程度剛性があるので、ロープ等で編んだ従来のボール入れより衝撃からボールを保護する機能が高い。ボールはサッカーボールやバレーボールのような大きな物を一つ入れても、テニスボールのような小さなボールを複数個入れてもよく、目的に応じて使い分けできる。
【００１５】
本発明のブイ用保護体では、ブイが船や岩等にぶつかった時の衝撃を和らげ破損するのを防止する役目をする。また縄等で編まれブイに密着している従来の保護体と異なり、第二の突出部材により、保護体と、中に入れられた球形のブイの表面との間に隙間が形成保持され、ブイを海面から引き上げる際、手に持った係止具の先端が引っかかる隙間乃至空間ができ、簡単にブイを引き上げることができる。
【発明を実施するための最良の形態】
【００１６】
図１は本発明の球形構造体を用いたボール（例えば幼稚園児等が遊ぶボール）を示すもので、直径は例えば１８０ｍｍである。ボール１は同じ形状の１２個の環状体２と、同じ形状の３０個の棒状の連結体３とからなっている。環状体２は図２のようにリング状でその円周に沿って等間隔（７２°）に配置された５個の連結部４を有している。図１及び図５、６、７、９では前後の環状体を区別しやすくするために環状体の連結部以外の部分に点々が付されて図示されている。
【００１７】
環状体２は例えばウレタン樹脂のような合成樹脂からなっている。環状体２の直径は、種々であることができるが、ボールの直径が１８０ｍｍの場合、環状体２の直径は、例えば７０ｍｍで、断面Ａの直径は例えば５ｍｍである。断面Ａは中実でも中空でもよい。なお、連結部４とそれ以外の部分５とは一体的に成形されていてもよいし、別々の部材としてもよい。
【００１８】
図２及び図３のように、連結部４には放射状に外方に突出した突出部材６が設けられ、この突出部材６に棒状の連結体３の端部７（図４）が嵌合する。突出部材６は中空でも中実でもよく、それに応じて連結体３の端部７も中実又は中空になされる。なお、連結体は棒状のものに限定されるものではなく、例えば板状であったり、リング状をし対向する両端が直接又は別の部材を介して環状体の連結部と嵌合するようになされているなど種々のものであることができる。
【００１９】
連結体３は端部７が中空の場合、連結体３の全体が中空でも、両端部７だけ中空でそれ以外の部分８は中実でもよい。連結体３は、例えばウレタン樹脂のような合成樹脂からなり、その長さは、ボールの直径が１８０ｍｍの場合、３０ｍｍで、その断面Ｂの直径は環状体２と同じく、例えば５ｍｍである。
【００２０】
環状体２と連結体３とは接着剤で固定しても、組み立て分解可能になるように着脱可能としてもよい。接着剤で固定して球体に組み立ててしまっても、連結体３を中空構造にしておけば、ボール１を両手で圧迫すると連結体３の箇所で折れ曲がり、ボール１が潰れて厚みを小さくすることができ、圧迫している力を取り除けばしばらくして再び球体に復帰する。従って、工場からボールを包装して搬送したりするときには厚さを減じておくことができる。
【００２１】
ボールでの遊び方は普通の空気入りのゴムボール等と変わりない。ただ空気入りのゴムボールと異なり、直径が１８０ｍｍのボールでも、園児が片手でつかむことがき、また合成樹脂製なので重量も軽く弾み、ぶつけたときの衝撃は少ないので、人や物にぶつけても怪我をさせたり、破損するおそれはない。さらにボール１を構成する環状体２の部分は平らなので、普通のボールのようにいつまでも転がらずある程度の距離でとまる。従って室内でのボール遊びにも適する。また例えば、環状体２と連結体３との間の隙間から１乃至複数個の小さなボール９をボール１の中に入れた状態（図５）で遊んでもよい。
【００２２】
なお、ボール１の大きさを、もっと大きくしたり或いは小さくしたりする場合には、環状体と連結体の大きさを変えたり、環状体の大きさは変えずに、連結体の長さを変えることにより対応できる。ただしボールの大きさを変えても、環状体の数（１２個）は変わらず、また環状体の連結部の数は少なくとも５個は必要である。しかし連結体３の個数は補強等の為に増やしても良く、この場合にはそれに応じて環状体の連結部間に連結部が増設される。
【００２３】
図６は、本発明の洗濯物干し具１０を示すもので、その構造は上述したボール１と同じである。１１は洗濯物干し具１０を吊下げるための係止具である。洗濯物干し具１０にシャツ等の濡れた洗濯物をかぶせ、係止具１１を用いて風通しのよい箇所に配置すれば、シャツ等の前後の生地同士が付くことなく離れた状態で保持されているので、空気がシャツの内側に十分流通するので乾きが早い。
【００２４】
図７は、本発明のボール入れ２０を示すもので、構造は上述したボール１と同じであるが、環状体２１が配置されるべき個所のうち１箇所だけ環状体が配置されず、中にサッカーボール等のボール２０ａを入れるための入口２２となされている。この入口２２の箇所の方に向かう５個の中空の各連結体２３の入口側になる端部には、図８のように端部部材２４が嵌合され、この端部部材２４には連結体２３の長手方向と交叉する方向に貫通孔２５が設けられている。なお、端部部材２４と棒状部分２３ａとは一体に形成されていてもよく、また棒状部分２３ａは環状体の連結部と嵌合する端部等を除いて中実であってもよい。貫通孔２５にやや太目の紐２６が通されて、紐２６に取りつけられた筒状の絞り部材２７を絞っていく（入口２２の方へスライドさせる）ことにより、入口２２が塞がり中に入れられたボール２０ａが外に出ないようにできる。また紐２６の他端２８側を持って持ち歩くことができる。
【００２５】
なお中に入れるボールは、サッカーボールやバレーボールのような大きなボールを１つ入れてもよいし、テニスボールのような小さなボールを複数個入れてもよい。
【００２６】
図９は本発明のブイ用保護体３０を示す。ブイ３１は球形で、海面に浮いてブイに連結されている索３２の他方端に固定されている海中にある延縄漁等の網（図示せず）を保持するために使用される。保護体３０は、ブイが船や岩等にぶつかった時の衝撃を和らげると共に、ブイを船上に引き上げるときに手に持った係止具（図示せず）をひっかける為の受部の役目をする。保護体３０の構造は上述のボール入れ２０と同じであるが、大きさは球形のブイ３１よりやや大きく、例えば直径が３００ｍｍになされている。構成する環状体や連結体の数は上述のボール入れと同じであるが、環状体や連結体自体の大きさはそれぞれ大きくなされて、連結体の数は増やされていてもよい。なお環状体や連結体は、剛性を高めるために中空であるよりは中実であるのが好ましい。
【００２７】
ブイ用保護体３０の場合、図１０のように環状体３３に設けられる連結部３４に、連結体３５と嵌合する突出部材（第一の突出部材）３６とは別に、これと交叉する方向に第二の突出部材３７が設けられている。即ち突出部材（第一の突出部材）３６は、環状体３３の平面方向に伸びているが、第二の突出部材３７はこれと交叉する方向、即ち球形に組み立てられた時に内側になる方向伸びている。この第二の突出部材３７により、図１１のように保護体３０と、中に入れられた球形のブイ３１の表面との間に隙間３８が形成され、ブイ３１を海面から引き上げる際に係止具の先端がこの隙間に入り、簡単にブイを引き上げることができる。従来の縄で編まれた保護体では、保護体がブイに密着しているので、隙間がなく係止具の先端が引っかかりにくくブイを船上に上げづらかった。なお全ての連結部が第二の突出部材を有さずに、第二の突出部材を有する連結部と有さない連結部が混在していてもよい。
【図面の簡単な説明】
【００２８】
【図１】本発明の球形構造体（ボール）を示す図
【図２】球形構造体を構成する環状体を示す図
【図３】環状体の連結部付近を示す図
【図４】球形構造体を構成する連結体を示す図
【図５】本発明のボールの使用例を示す図
【図６】本発明の洗濯物干し具を示す図
【図７】本発明のボール入れを示す図
【図８】ボール入れの入口付近に使用される連結体を示す図
【図９】本発明のブイ用保護体を示す図
【図１０】ブイ用保護体に使用される環状体の連結部付近を示す図
【図１１】ブイとブイ保護体との間の隙間を説明する図
【符号の説明】
【００２９】
１  ボール（球形構造体）
２  環状体
３  連結体
４  連結部
５  部分
６  突出部材
７  端部
８  部分
９  小さなボール
１０  洗濯物干し具
１１  係止具
２０  ボール入れ
２０ａ  ボール
２１  環状体
２２  入口
２３  連結体
２３ａ  棒状部分
２４  端部部材
２５  貫通孔
２６  紐
２７  絞り部材
２８  他端
３０  保護体
３１  ブイ
３２  索
３３  環状体
３４  連結部
３５  連結体
３６  第一の突出部材
３７  第二の突出部材
３８  隙間
【図１】
2005073962.tif 000003
【図２】
2005073962.tif 000004
【図３】
2005073962.tif 000005
【図４】
2005073962.tif 000006
【図５】
2005073962.tif 000007
【図６】
2005073962.tif 000008
【図７】
2005073962.tif 000009
【図８】
2005073962.tif 000010
【図９】
2005073962.tif 000011
【図１０】
2005073962.tif 000012
【図１１】
2005073962.tif 000013